Podtech/llm-jp-corpus-v4-ja_patent huggingface dataset:
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
活性炭の形成方法において、
炭素原料を提供するステップと、
前記炭素原料を化学的活性化剤と混合して、原料混合物を形成するステップと、
前記原料混合物をマイクロ波反応槽の中に導入するステップと、
前記マイクロ波反応槽の中にマイクロ波を導入することによって、マイクロ波エネルギーを用いて前記原料混合物を加熱するステップと、
前記炭素原料を前記化学的活性化剤と反応させて、活性炭を形成するステップと、
前記活性炭を冷却するステップと、
を含み、
前記加熱するステップが、それぞれの処理温度における複数の加熱ステップを含む、
ことを特徴とする活性炭の形成方法。
【請求項２】
前記炭素原料を提供するステップが、５００〜９５０℃の範囲の温度の不活性雰囲気において炭素質材料を炭化するステップを含む、ことを特徴とする請求項１に記載の方法。
【請求項３】
前記炭化するステップが、前記炭素質材料を前記マイクロ波反応槽の中に導入するステップと、前記マイクロ波反応槽の中にマイクロ波を導入することによって、マイクロ波エネルギーを用いて前記炭素質材料を加熱するステップとを含む、ことを特徴とする請求項２に記載の方法。
【請求項４】
前記炭素原料が、１００マイクロメートル未満の平均粒子径を有する炭素原料粒子を含む、ことを特徴とする請求項１〜３のいずれか一項に記載の方法。
【請求項５】
前記化学的活性化剤が、Ｈ３ＰＯ４、ＮａＯＨ、Ｎａ２ＣＯ３、ＮａＣｌ、ＭｇＣｌ２、ＫＯＨ、ＡｌＣｌ３、Ｐ２Ｏ５、Ｋ２ＣＯ３、ＫＣｌおよびＺｎＣｌ２からなる群から選択される、ことを特徴とする請求項１〜４のいずれか一項に記載の方法。
【請求項６】
炭素原料対化学的活性化剤の質量比が約１：１０〜１０：１の範囲にある、ことを特徴とする請求項１〜５のいずれか一項に記載の方法。
【請求項７】
前記原料混合物が炭素原料粒子および前記化学的活性化剤の乾燥混合物である、ことを特徴とする請求項１〜６のいずれか一項に記載の方法。
【請求項８】
前記原料混合物をケーキに成形するステップと、ケーキ化された原料混合物を前記マイクロ波反応槽の中に導入するステップとをさらに含む、ことを特徴とする請求項１〜７のいずれか一項に記載の方法。
【請求項９】
前記ケーキが、前記マイクロ波の波長の整数倍に等しい長さ寸法を有する、ことを特徴とする請求項８に記載の方法。
【請求項１０】
前記原料混合物が、前記マイクロ波反応槽の中に導入される坩堝の中に装入される、ことを特徴とする請求項１〜９のいずれか一項に記載の方法。
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
少なくとも２つの部分を画定する、１枚の平坦なシート材料を備える物品であって、前記少なくとも２つの部分は、折り曲げ可能に繋げられた中央部分と多目的部分とであり、
前記中央部分は、３次元形状に立設でき、第１縁と、前記第１縁より短い２つの対向する第２縁および第３縁と、を備え、前記２つの対向する第２縁および第３縁が互いに近づけられることで円錐形が形成され、前記第１縁がさらに第１縁部分と第２縁部分とを有し、前記第１縁部分が前記第１縁の１端に位置し、前記第２縁部分が前記第１縁の他端である末端に位置し、前記第１縁部分と前記第２縁部分とが互いに近づけられると、前記中央部分が、前記３次元形状に立設されるとともに、前記２つの対向する縁にそれぞれ隣接する、離間した第１及び第２の係合手段の係合によって固定され、さらに、前記中央部分が少なくとも２つの多目的部分に繋げられ、
前記多目的部分が、折り目を介して、前記中央部分に折り曲げ可能に繋げられ、かつ、前記立設された３次元形状の前面または背面に隣接する位置またはこれらの面に対して角度をなす位置へ折り曲げることができる、
物品。
【請求項２】
前記３次元形状内に物体を挿入できる空洞を画定するように、前記３次元形状が基部を備える、請求項１に記載の物品。
【請求項３】
前記中央部分が、少なくとも２つの部位を含み、前記２つの部位の一部は一体的に繋がっており、前記２つの部位の別の一部は切り離されており、それによって、前記中央部分が前記３次元形状に組み立てられたときに、前記２つの部位の一方が、前記２つの部位の他方から突き出る、請求項１に記載の物品。
【請求項４】
前記中央部分は、前記３次元形状にあるときに、胴部と頭部とを有する身体を表現し、
前記中央部分の上部が、前記頭部と前記胴部の上側とを形成し、前記第中央部分の本体部が、前記胴部の下側を形成する、請求項３に記載の物品。
【請求項５】
前記中央部分は、上部と本体部とを有し、
前記本体部が互いに離間した第１の係合手段と第２の係合手段を備え、
前記中央部分自体が折り曲げられるときに、前記第１の係合手段と第２の係合手段とが相互係合して前記中央部分を３次元形状に変形させる、請求項１に記載の物品。
【請求項６】
前記第１の係合手段はタブを備え、
前記第２の係合手段は、前記タブを受け入れるように構成された溝穴を備える、請求項５に記載の物品。
【請求項７】
前記中央部分が前記３次元形状に立設されたときに最内側になる、前記中央部分の特定の面に重りが取り付けられる、請求項１に記載の物品。
【請求項８】
少なくとも１つのさらなる多目的部分が折り目を介して前記多目的部分に折り曲げ可能に繋げられている、請求項１に記載の物品。
【請求項９】
少なくとも１つのさらなる中央部分が折り目を介して前記中央部分に折り曲げ可能に繋げられている、請求項１に記載の物品。
【請求項１０】
多目的部分が折り目を介して前記中央部分に折り曲げ可能に繋げられている、請求項９に記載の物品。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
車両サスペンションのためのコントロールアームであって、
コントロールアーム本体を備え、前記コントロールアーム本体は、ホイールアセンブリに装着するためのコネクタと、長手方向に延在し前記コントロールアーム本体を車両フレームと結合するための水平ブッシングとを有し、
前記コントロールアーム本体の開口に圧入されたハウジングを備え、前記ハウジングは鉛直軸に沿って第１の開放端と第２の開放端との間に延在し、前記ハウジングは前記第１の開放端と前記第２の開放端との間に延在する内部ボアを有し、
前記ハウジングの前記内部ボアの中に配置された軸受を備え、前記軸受は湾曲した内面を有し、
前記軸受および前記ハウジングと係合し前記軸受を前記ハウジングの前記内部ボアの中で保持する保持部材と、
前記ハウジングの前記内部ボアの中を通って前記第１の開放端と第２の開放端を超えて延在し前記ハウジングの両側において前記車両フレームと係合するためのスタッドとを備え、前記スタッドは、前記スタッドおよび前記車両フレームに対して前記ハウジングおよび前記コントロールアーム本体が回転運動できるよう、前記軸受の前記湾曲した内面と滑り係合する湾曲した外面を有する、コントロールアーム。
【請求項２】
軸方向において前記軸受と前記保持部材との間に配置されたばねをさらに備える、請求項１に記載のコントロールアーム。
【請求項３】
前記ハウジングの一端は径方向内側に曲げられて前記保持部材と係合する、請求項１に記載のコントロールアーム。
【請求項４】
前記スタッドの前記湾曲した外面は半球形状である、請求項１に記載のコントロールアーム。
【請求項５】
前記スタッドは通路を有し、前記通路は、前記スタッドの中を軸方向に延在し、前記スタッドを前記車両フレームと結合するための固定具を収容する、請求項１に記載のコントロールアーム。
【請求項６】
前記固定具はボルトである、請求項５に記載のコントロールアーム。
【請求項７】
前記ハウジングは金属からなる、請求項１に記載のコントロールアーム。
【請求項８】
前記金属のハウジングを実質的に周方向に囲むエラストマー材料のクッションと、前記クッションを実質的に周方向に囲む金属のケーシングとをさらに備える、請求項７に記載のコントロールアーム。
【請求項９】
前記保持部材は、前記スタッドに対する前記ハウジングの前記回転運動を促進するために前記軸受の反対側における側面が面取りされ、前記保持部材の反対側にある、前記ハウジングの前記開放端のうちの一方が、前記スタッドに対する前記ハウジングの前記回転運動をさらに促進するために面取りされる、請求項１に記載のコントロールアーム。
【請求項１０】
前記ハウジングは、少なくとも部分的に湾曲しかつ前記スタッドの前記湾曲した外面と滑り接触する内面を有する、請求項１に記載のコントロールアーム。
【請求項１１】
車両サスペンションのためのコントロールアームの製造方法であって、
軸受の湾曲した内面を、軸方向に延在するスタッドの湾曲した外面と滑動可能に結合することによって前記スタッドに対して前記軸受が回転運動できるようにすることと、
軸方向において間隔を開けられた開放端を有するハウジングの内部ボアの中に前記軸受を位置決めして、前記スタッドが、対向する前記開放端を通って前記ハウジングを超えて延在することにより、前記スタッドに対して前記ハウジングが回転運動できるようにすることと、
保持部材を前記ハウジングと前記軸受に係合させて前記軸受を前記ハウジングの内部ボアの中で保持することと、
前記ハウジングを、コントロールアーム本体の開口に圧入することにより前記スタッドに対して前記コントロールアーム本体が回転運動できるようにすることとを含む、方法。
【請求項１２】
前記ハウジングの前記内部ボアの中において前記軸受と前記保持部材との間にばねを配置するステップをさらに含む、請求項１１に記載の方法。
【請求項１３】
前記ハウジングの一部を変形させて前記保持部材と係合させるステップをさらに含む、請求項１１に記載の方法。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
缶を含む缶詰食品製品であって、
前記缶が、
前記缶の内部の第１のエマルジョンと、
前記第１のエマルジョンを包んでいる第２のエマルジョンと
を有する、缶詰食品製品。
【請求項２】
前記第１のエマルジョンが、肉エマルジョンであり、前記第２のエマルジョンが、肉以外のエマルジョンである、請求項１に記載の製品。
【請求項３】
前記肉エマルジョンが、筋肉及びコラーゲンを含む、請求項２に記載の製品。
【請求項４】
前記肉以外のタンパク質エマルジョンが、少なくとも１種の球状タンパク質又は少なくとも１種のミセル状タンパク質を含む、請求項２に記載の製品。
【請求項５】
前記肉以外のタンパク質エマルジョンが、卵、乳、血液、及び野菜からなる群から選択されるタンパク質を含む、請求項２に記載の製品。
【請求項６】
前記第１のエマルジョン及び前記第２のエマルジョンの少なくとも一方が、嗜好性増強剤、着色料、保存料、原材料の目に見える小片、可溶化された栄養原材料、風味化合物、芳香化合物、カプセル化された風味料、及びカプセル化された栄養素からなる群から選択される要素を含む、請求項１に記載の製品。
【請求項７】
前記第２のエマルジョンが、前記第１のエマルジョンを完全に包んでいる、請求項１に記載の製品。
【請求項８】
前記第２のエマルジョンが、前記第１のエマルジョンを実質的に包んでいる、請求項１に記載の製品。
【請求項９】
缶詰されたコンパニオンアニマル用食品製品である、請求項１に記載の製品。
【請求項１０】
缶詰食品製品を製造するための方法であって、
第１のエマルジョンを形成するステップ、
第２のエマルジョンを形成するステップ、及び、
前記第２のエマルジョンが前記第１のエマルジョンを包むように、前記第１のエマルジョン及び前記第２のエマルジョンを缶に充填するステップ
を含む方法。
【請求項１１】
前記缶を密封するステップをさらに含む、請求項１０に記載の方法。
【請求項１２】
前記充填された缶をレトルト処理するステップをさらに含む、請求項１１に記載の方法。
【請求項１３】
前記充填された缶が、レトルト処理の前に逆さにされる、請求項１１に記載の方法。
【請求項１４】
前記充填された缶が、１２１℃の温度で２５〜５０分間レトルト処理される、請求項１１に記載の方法。
【請求項１５】
前記レトルト処理された缶を冷却するステップをさらに含む、請求項１２に記載の方法。
【請求項１６】
前記レトルト処理された缶が、２０℃〜３５℃の温度に冷却される、請求項１５に記載の方法。
【請求項１７】
前記第１のエマルジョンで前記缶を充填するステップ及び前記第２のエマルジョンで前記缶を充填するステップが、前記第２のエマルジョンの一部分を前記缶に送達するステップと、前記第１のエマルジョンを前記第２のエマルジョンの前記部分の上に加えるステップと、前記第２のエマルジョンの残りの部分で前記第１のエマルジョンを覆うステップとを含む、請求項１０に記載の方法。
【請求項１８】
前記第１のエマルジョンで前記缶を充填するステップ及び前記第２のエマルジョンで前記缶を充填するステップが、前記第２のエマルジョンを前記缶に送達するステップと、前記第１のエマルジョンを前記第２のエマルジョン内に注入するステップとを含む、請求項１０に記載の方法。
【請求項１９】
前記第１のエマルジョンで前記缶を充填するステップ及び前記第２のエマルジョンで前記缶を充填するステップが、前記第１のエマルジョンを第１の速度で、前記第２のエマルジョンを第２の速度で共押出するステップと、前記第１の速度及び前記第２の速度を調整して、前記第２のエマルジョンが前記第１のエマルジョンを包むことを可能にするステップとを含む、請求項１０に記載の方法。
【請求項２０】
前記第２のエマルジョンが、前記第１のエマルジョンを完全に包む、請求項１０に記載の方法。
【請求項２１】
前記第２のエマルジョンが、前記第１のエマルジョンを実質的に包む、請求項１０に記載の方法。
【請求項２２】
請求項１０に記載の方法により製造された製品。
【請求項２３】
第１のエマルジョンと、
前記第１のエマルジョンを包んでいる第２のエマルジョンと
を含む食品製品。
【請求項２４】
前記第１のエマルジョンが、肉エマルジョンであり、前記第２のエマルジョンが、肉以外のエマルジョンである、請求項２３に記載の製品。
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
核酸分子の増幅方法であって、当該方法が、
ＲＮＡテンプレートと、ＲＮＡテンプレートにハイブリダイズすることができる１以上のプライマーと、逆転写酵素と、デオキシヌクレオシド三リン酸（ｄＮＴＰ）とを含む第１の反応混合物を使用して、リボ核酸（ＲＮＡ）テンプレートを逆転写してｃＤＮＡを形成する工程と、
１以上の鎖置換ＤＮＡポリメラーゼと、１以上のイノシン含有プライマーと、プライマーのイノシン残基の３’側のＤＮＡにニックを入れることができるヌクレアーゼとを含む第２の反応混合物を使用して、ｃＤＮＡを増幅して増幅産物を形成する工程と
を含んでおり、
ｃＤＮＡテンプレートを変性させずに等温条件下で実施される、方法。
【請求項２】
逆転写及び増幅が、単一の反応混合物中で達成される、請求項１記載の方法。
【請求項３】
ＲＮＡにハイブリダイズすることができるプライマーの少なくとも１つが、イノシン含有プライマー、オリゴ（ｄＴ）プライマー、ロックド核酸（ＬＮＡ）、ペプチド核酸（ＰＮＡ）及びそれらの組合せを含む、請求項１記載の方法。
【請求項４】
第１及び第２の反応混合物の一方又は両方が、ｃＤＮＡにアニーリングするための複数のフォワード及びリバースイノシン含有プライマーを含む、請求項１記載の方法。
【請求項５】
逆転写酵素が、ＭＭＬＶ逆転写酵素、ＡＭＶ逆転写酵素、ＨＩＶ逆転写酵素又はそれらの保存的変異体の１つ以上から選択される、請求項１記載の方法。
【請求項６】
イノシン含有プライマーがホスホロチオエート結合を含む、請求項１記載の方法。
【請求項７】
第１及び第２の反応混合物の一方又は両方が、１以上の伸長テンプレートを含む、請求項１記載の方法。
【請求項８】
鎖置換ＤＮＡポリメラーゼがエキソヌクレアーゼ欠損ポリメラーゼである、請求項１記載の方法。
【請求項９】
ヌクレアーゼがエンドヌクレアーゼＶを含む、請求項１記載の方法。
【請求項１０】
エンドヌクレアーゼＶが、配列番号１、配列番号２、配列番号３又はそれらの保存的変異体の配列を有するタンパク質から選択される、請求項９記載の方法。
【請求項１１】
第１及び第２の反応混合物の一方又は両方が、１以上の一本鎖ＤＮＡ結合タンパク質（ＳＳＢ）をさらに含む、請求項１記載の方法。
【請求項１２】
リボ核酸（ＲＮＡ）テンプレートからデオキシリボ核酸（ＤＮＡ）を増幅するためのキットであって、
１以上のイノシン含有プライマーと、
逆転写酵素活酵素と、
鎖置換ＤＮＡポリメラーゼと、
プライマーのイノシン残基の３’側のＤＮＡにニックを入れるためのヌクレアーゼと
を含む、キット。
【請求項１３】
ヌクレアーゼがエンドヌクレアーゼＶである、請求項１２記載のキット。
【請求項１４】
ＤＮＡポリメラーゼがエキソヌクレアーゼ欠損ＤＮＡポリメラーゼである、請求項１２記載のキット。
【請求項１５】
１以上の伸長テンプレートをさらに含む、請求項１２記載のキット。
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、前記方法は、
ランダムアクセスポイント（ＲＡＰ）ピクチャを符号化することと、
前記ＲＡＰピクチャに関連する１つまたは複数のランダムアクセススキップリーディング（ＲＡＳＬ）ピクチャを符号化することと、ここにおいて、前記１つまたは複数のＲＡＳＬピクチャは、出力順序値で前記ＲＡＰピクチャに先行し、復号順序で前記ＲＡＰピクチャに後続し、前記復号順序で前記ＲＡＰピクチャよりも前のビデオデータを参照する、
すべてのＲＡＳＬピクチャが、出力順序で前記ＲＡＰピクチャに関連するランダムアクセス復号可能リーディング（ＲＡＤＬ）に先行するという制限に従って、前記ＲＡＰピクチャについての１つまたは複数の前記ＲＡＤＬピクチャを符号化することと
を備える、方法。
【請求項２】
前記ＲＡＤＬが、前記ＲＡＰピクチャの出力順序値よりも前の出力順序を示す出力順序値を有し、前記ＲＡＰピクチャの復号順序値よりも後の復号順序を示す復号順序値を有する、１つまたは複数のピクチャを備え、ここにおいて、前記１つまたは複数のピクチャが、復号順序で前記ＲＡＰピクチャよりも前のビデオデータを参照しない、請求項１に記載の方法。
【請求項３】
前記ＲＡＰピクチャのためのリーディングピクチャのすべてが復号順序で前記ＲＡＰピクチャのためのすべてのトレーリングピクチャに先行するという制限に従って、前記ＲＡＰピクチャに関する１つまたは複数の前記リーディングピクチャを符号化することをさらに備え、ここにおいて、前記トレーリングピクチャが、前記ＲＡＰピクチャの出力順序値よりも大きい出力順序値を有するピクチャを備える、請求項１に記載の方法。
【請求項４】
前記ＲＡＰピクチャが、クリーンランダムアクセス（ＣＲＡ）ピクチャと切断リンクアクセス（ＢＬＡ）ピクチャとのうちの１つを備える、請求項１に記載の方法。
【請求項５】
復号順序でＣＲＡピクチャまたはＢＬＡピクチャに先行する任意のピクチャは、出力順序で前記ＣＲＡピクチャまたは前記ＢＬＡピクチャに関連する任意のＲＡＤＬピクチャに先行する、請求項１に記載の方法。
【請求項６】
前記方法は、
前記ＲＡＰピクチャに関連する１つまたは複数のリーディングピクチャを符号化することと、ここにおいて、前記リーディングピクチャが、出力順序値で前記ＲＡＰピクチャに先行し、復号順序で前記ＲＡＰピクチャに後続する、
前記リーディングピクチャのすべてが復号順序ですべてのトレーリングピクチャに先行するという制限に従って、前記ＲＡＰピクチャに関連する１つまたは複数の前記トレーリングピクチャを符号化することと、ここにおいて、前記トレーリングピクチャが出力順序値と復号順序の両方で前記ＲＡＰピクチャに後続する、
をさらに備える、請求項１に記載の方法。
【請求項７】
前記ＲＡＰピクチャについての前記１つまたは複数のＲＡＤＬを符号化することが、すべての前記ＲＡＳＬピクチャが出力順序で前記ＲＡＤＬに先行するという前記制限に従って、前記ＲＡＰピクチャに関連する前記１つまたは複数のＲＡＤＬを符号化することを備え、ここにおいて、前記ＲＡＤＬが、出力順序で前記ＲＡＰピクチャに先行し、前記復号順序で前記ＲＡＰピクチャに後続し、前記復号順序で前記ＲＡＰピクチャよりも前のビデオデータを参照しない、請求項１に記載の方法。
【請求項８】
前記方法が、
復号順序で前記ＲＡＰピクチャに先行する１つまたは複数のピクチャを符号化することをさらに備え、
ここにおいて、前記１つまたは複数のＲＡＤＬを符号化することは、復号順序で前記ＲＡＰピクチャに先行するすべてのピクチャが出力順序ですべての前記ＲＡＤＬにも先行するという制限に従って、前記ＲＡＰピクチャに関連する前記１つまたは複数のＲＡＤＬを符号化することを備え、ここにおいて、前記ＲＡＤＬが、出力順序で前記ＲＡＰピクチャに先行し、復号順序で前記ＲＡＰピクチャに後続し、復号順序で前記ＲＡＰピクチャよりも前のビデオデータを参照しない、
請求項１に記載の方法。
【請求項９】
前記ＲＡＰピクチャを符号化することが、ビデオ符号化プロセスの一部として実行される、請求項１に記載の方法。
【請求項１０】
請求項１乃至１１のうちのいずれか一項の方法に従って符号化されたビデオデータを復号する方法であって、前記方法は、
ランダムアクセスポイント（ＲＡＰ）ピクチャを復号することと、
前記ＲＡＰピクチャに関連する１つまたは複数のランダムアクセススキップリーディング（ＲＡＳＬ）ピクチャを復号することと、
前記１つまたは複数ランダムアクセススキップリーディング（ＲＡＳＬ）ピクチャのすべてが、出力順序で前記ＲＡＰピクチャに関連するランダムアクセス復号可能リーディング（ＲＡＤＬ）に先行するという制限に従って、前記ＲＡＰピクチャについての１つまたは複数の前記ＲＡＤＬピクチャを復号することと
を備える、方法。
【請求項１１】
ビデオデータを符号化するための装置であって、前記装置は、
ランダムアクセスポイント（ＲＡＰ）ピクチャを符号化するための手段と、
前記ＲＡＰピクチャに関連する１つまたは複数のランダムアクセススキップリーディング（ＲＡＳＬ）ピクチャを符号化するための手段と、ここにおいて、前記１つまたは複数のＲＡＳＬピクチャは、出力順序値で前記ＲＡＰピクチャに先行し、復号順序で前記ＲＡＰピクチャに後続し、前記復号順序で前記ＲＡＰピクチャよりも前のビデオデータを参照する、
すべてのＲＡＳＬピクチャが、出力順序で前記ＲＡＰピクチャに関連するランダムアクセス復号可能リーディング（ＲＡＤＬ）に先行するという制限に従って、前記ＲＡＰピクチャについての１つまたは複数の前記ＲＡＤＬピクチャを符号化するための手段と
を備える、装置。
【請求項１２】
前記ＲＡＤＬが、前記ＲＡＰピクチャの出力順序値よりも前の出力順序を示す出力順序値を有し、前記ＲＡＰピクチャの復号順序値よりも後の復号順序を示す復号順序値を有する、１つまたは複数のピクチャを備え、ここにおいて、前記１つまたは複数のピクチャが、復号順序で前記ＲＡＰピクチャよりも前のビデオデータを参照しない、請求項１１に記載の装置。
【請求項１３】
前記ＲＡＰピクチャのためのリーディングピクチャのすべてが復号順序で前記ＲＡＰピクチャのためのすべてのトレーリングピクチャに先行するという制限に従って、前記ＲＡＰピクチャに関する１つまたは複数の前記リーディングピクチャを符号化するための手段をさらに備え、ここにおいて、前記トレーリングピクチャが、前記ＲＡＰピクチャの出力順序値よりも大きい出力順序値を有するピクチャを備える、請求項１１に記載の装置。
【請求項１４】
１つまたは複数のプロセッサによって実行されたとき、前記１つまたは複数のプロセッサに、請求項１乃至１０のうちのいずれか一項に記載の方法を行わせる命令を記憶した、コンピュータ可読記憶媒体。
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
ユーザが共同所有する第１および第２のポータブルの携帯型電子デバイスを安全な無線ローカルエリアネットワーク（ＷＬＡＮ）に接続するコンピュータ実装型の方法であって、前記方法は、
無線ローカルエリアネットワーク（ＷＬＡＮ）のサービスセット識別子（ＳＳＩＤ）及びネットワーク鍵を含むユーザからの証明書のセットを、第１の携帯型電子デバイスで受信し、前記証明書のセットは第１のデバイスが前記ＳＳＩＤを有する安全なＷＬＡＮに接続できるようにすること；
前記証明書のセットを使用して、前記第１のデバイスを安全な前記ＷＬＡＮに、前記安全なＷＬＡＮのノードとして接続すること；
前記第１のデバイスに格納されているデータ構造にアクセスし、前記データ構造は、前記第１のデバイスと第２の携帯型電子デバイスの接続によって、ユーザが共同所有するファミリーを識別すること；
前記安全な無線ローカルエリアネットワーク（ＷＬＡＮ）にアクセスするための前記証明書のセットを含む、前記第２の携帯型電子デバイスに送達されるよう適合された、無線伝送用のメッセージを生成すること；及び  前記第１のデバイスによって、前記第２のデバイスにアドレス指定された前記メッセージを無線で伝送すること
を含む、コンピュータ実装型の方法。
【請求項２】
前記第１のデバイスは、無線ローカルエリアネットワーク（ＷＬＡＮ）機能を有する携
帯電話、スマートフォン、ポータブルメディアプレーヤ、タブレットコンピュータ、ラッ
プトップコンピュータのうちの１つである、請求項１に記載の方法。
【請求項３】
前記第１のデバイスによって前記メッセージを伝送することは：
（ａ）前記安全な無線ローカルエリアネットワーク（ＷＬＡＮ）との認証済み接続を通して前記メッセージを伝送すること；
（ｂ）セルラーデータ通信接続を通して前記メッセージを伝送すること；
（ｃ）セルラー音声通信テキストメッセージチャネルを通して前記メッセージを伝送す
ること；
（ｄ）無線パーソナルエリアネットワークを通して前記メッセージを伝送すること；及
び
（ｅ）二地点間ネットワークを通して前記メッセージを伝送すること
のうちの１つを含む、請求項１に記載の方法。
【請求項４】
前記メッセージは、前記第２のデバイスの携帯電話番号、及びテキストメッセージングゲートウェイドメイン名アドレスにおける前記携帯電話番号のうちの１つを含む、請求項１に記載の方法。
【請求項５】
前記証明書のセットを使用して前記無線ローカルエリアネットワーク（ＷＬＡＮ）ＷＬＡＮに接続した後、前記メッセージを伝送する前に、前記メッセージを伝送するようユーザにプロンプトを提供することを更に含む、請求項１に記載の方法。
【請求項６】
前記メッセージは、前記第２のデバイスのアドレスにアドレス指定され、
前記第２のデバイスの前記アドレスは、Ｂｌｕｅｔｏｏｔｈアドレス、ショートメッセージサービス（ＳＭＳ）ゲートウェイアドレス、マルチメディアメッセージサービス（ＭＭＳ）ゲートウェイアドレス、携帯電話番号及び電子メール（ｅメール）アドレスのうちの１つである、請求項１に記載の方法。
【請求項７】
前記証明書のセットを使用して、前記第１のデバイスを前記安全な無線ローカルエリアネットワーク（ＷＬＡＮ）に接続することは：
前記安全なＷＬＡＮのアクセスポイントに第１の認証リクエストを送信すること；
前記安全なＷＬＡＮの前記アクセスポイントからクリアテキストチャレンジを受信すること；
前記ネットワーク鍵を用いて、前記クリアテキストチャレンジを暗号化すること；
前記アクセスポイントに、暗号化された前記クリアテキストチャレンジを含む第２の認証リクエストを送信すること；及び
前記第１のデバイスが前記安全な無線ローカルエリアネットワーク（ＷＬＡＮ）に正常に接続されたことの確認情報を前記アクセスポイントから受信すること
を含む、請求項１に記載の方法。
【請求項８】
前記第１のデバイスは、前記第２へのデバイスとペアリングし、それに応答して前記第２のデバイスへメッセージを伝送されることを認識すること
を更に含む、請求項１に記載の方法。
【請求項９】
共同所有デバイスのファミリーから、ユーザが選択出来るデバイスのリストをディスプレイし、メッセージを前記選択されたデバイスに伝送すること
を更に含む、請求項１に記載の方法。
【請求項１０】
デバイスの前記リストは、前記第１のデバイスと過去にペアリングされた共同所有デバイスのファミリーであることを特徴とする請求項１に記載の方法。
【請求項１１】
携帯型電子デバイスは、
表示スクリーン、
前記表示スクリーンのタッチ感応式入力デバイス、
無線ローカルネットワーク（ＷＬＡＮ）トランシーバを含む複数の無線通信トランシーバ、
プロセッサ、および
メモリを含み、前記メモリに、
サービスセット識別子（ＳＳＩＤ）及びネットワーク鍵を受諾するユーザインタフェース、
前記ＷＬＡＮトランシーバとネットワーク鍵を使用して、前記ＳＳＩＤを有する安全なＷＬＡＮのノードとして、前記携帯型電子デバイスに接続する無線ローカルエリアネットワーク（ＷＬＡＮ）接続モジュール、
ユーザの共同所有デバイスとして、前記携帯型電子デバイスともう１つの携帯型電子デバイス間の関連によって、ユーザの共同所有デバイスのファミリーを識別するデータ構造、
前記もう１つの携帯型電子デバイスにアドレス指定されるＳＳＩＤとネットワーク鍵を含み、前記データ構造にアクセスし、メッセージを準備し、前記無線通信トランシーバの１つを使用して、もう１つの携帯型電子デバイスにメッセージを伝送する通信モジュールを格納する、
ことを特徴とする携帯型電子デバイス。
【請求項１２】
前記メッセージを伝送するために使用される無線通信トランシーバの１つは、携帯電話ネットワークトランシーバであることを特徴とする、請求項１１に記載の携帯型電子デバイス。
【請求項１３】
前記通信モジュールは、無線パーソナルエリアネットワークを使用して、もう１つの携帯型電子デバイスに伝送されるメッセージを準備することを特徴とする、請求項１１に記載の携帯型電子デバイス。
【請求項１４】
前記通信モジュールは、二地点間ネットワークを使用して、もう１つの携帯型電子デバイスに伝送されるメッセージを準備することを特徴とする、請求項１１に記載の携帯型電子デバイス。
【請求項１５】
前記通信モジュールは、Ｂｌｕｅｔｏｏｔｈがもう１つの携帯型無線デバイスとペアリングし、それに応答して、前記メッセージがもう１つの携帯型無線デバイスに伝送されることを認識することを特徴とする、請求項１３に記載の携帯型無線デバイス。
【請求項１６】
ユーザインタフェースモジュールは、ユーザが選択できる共同所有デバイスのファミリーの１つのデバイスからデバイスのリストをスクリーンに表示させ、
前記通信モジュールは、メッセージを前記選択されたデバイスに伝送させることを特徴とする請求項１１に記載の携帯型無線デバイス。
【請求項１７】
デバイスの前記リストは、過去にペアリングした共同所有デバイスのファミリーであることを特徴とする、請求項１６に記載の携帯型無線デバイス。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
メディア・コンテンツのシーケンシングを有する個人向けのコンテンツを提供する方法であって、
制御チャンネルにおいて、前記メディア・コンテンツのシーケンシングを記述した時間的な制御情報を含む制御ストリームを受信することと、
前記シーケンシングの前記メディア・コンテンツを含むメディア・ストリームを受信することと、
前記制御情報を使用することによって、前記個人向けのコンテンツのレンダリングを制御することと、を含み、
前記シーケンシングは、第２のライブ番組が後に続く第１のライブ番組を含み、前記方法は、前記第１のライブ番組と前記第２のライブ番組との重なりを検出することをさらに含む、前記方法。
【請求項２】
前記メディア・コンテンツは、対応するテレビジョン・チャンネルからのものである、請求項１に記載の方法。
【請求項３】
前記制御チャンネルおよび前記テレビジョン・チャンネルは、共通のリファレンス・クロックと時間的に合わせられる、請求項２に記載の方法。
【請求項４】
前記制御ストリームおよび前記メディア・ストリームは、前記制御チャンネルおよび前記テレビジョン・チャンネルを前記共通のリファレンス・クロックに合わせる時間的な情報を含む、請求項３に記載の方法。
【請求項５】
前記個人向けのコンテンツは、ユーザの装置に予め記憶されたコンテンツを含む、請求項１〜４のいずれか１項に記載の方法。
【請求項６】
個人向けのコンテンツのレンダリングを制御することは、前記シーケンシングの連続的なコンテンツの間のフェージング制御を使用する、請求項１〜５のいずれか１項に記載の方法。
【請求項７】
前記メディア・ストリームは、放送ネットワークおよび／またはブロードバンド・ネットワークを介して受信される、請求項１〜６のいずれか１項に記載の方法。
【請求項８】
前記第１のライブ番組が終了するまで、前記第２のライブ番組のレンダリングのタイムシフトを行うことを含む、請求項１〜７のいずれか１項に記載の方法。
【請求項９】
前記第１のライブ番組および前記第２のライブ番組の重なりの検出は、前記第１のライブ番組から前記第２のライブ番組への切り替えの前に収集されるデータの統計的な処理に基づく、請求項１〜８のいずれか１項に記載の方法。
【請求項１０】
前記第１のライブ番組と第２のライブ番組との重なりの検出は、ソーシャル・ネットワークの監視に基づく、請求項１〜９のいずれか１項に記載の方法。
【請求項１１】
メディア・コンテンツのシーケンシングを有する個人向けのコンテンツを提供する受信装置であって、
制御チャンネルにおいて、前記メディア・コンテンツのシーケンシングを記述した時間的な制御情報を含む制御ストリームを受信する第１のインタフェースと、
前記シーケンシングの前記メディア・コンテンツを含むメディア・ストリームを受信する第２のインタフェースと、
前記制御情報を使用することによって、前記個人向けのコンテンツのレンダリングを制御するスケジューラと、を含み、
前記シーケンシングは、第２のライブ番組が後に続く第１のライブ番組を含み、前記受信装置は、第１のライブ番組と第２のライブ番組との重なりを検出する検出モジュールをさらに含む、前記受信装置。
【請求項１２】
当該受信装置はゲートウェイまたはセットトップ・ボックスである、請求項１１に記載の受信装置。
【請求項１３】
メディア・コンテンツのシーケンシングを有する個人向けのコンテンツを提供するプロバイダ装置であって、
前記メディア・コンテンツのシーケンシングを記述した時間的な制御情報を規定する番組マネージャと、
制御チャンネルにおいて、前記時間的な制御情報を含む制御ストリームを送信する第１の送信機と、
前記シーケンシングの前記メディア・コンテンツを含むメディア・ストリームを送信する第２の送信機と、を含み、
前記シーケンシングは、第２のライブ番組が後に続く第１のライブ番組を含み、前記プロバイダ装置は、第１のライブ番組と第２のライブ番組との重なりを検出する検出モジュールをさらに含む、前記プロバイダ装置。
【請求項１４】
前記番組マネージャは、前記時間的な制御情報を更新可能である、請求項１３に記載のプロバイダ装置。
【請求項１５】
コンピュータ実行可能なインストラクションを含んでコンピュータが請求項１〜１０のいずれか１項に記載の方法を実行できるようにするコンピュータ読み取り可能なプログラム。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
ＣＤ１３３に特異的に結合し、ＣＤ１３３に対して約１５０ｎＭ以下の解離定数を有する、単離されたＲＮＡアプタマー。
【請求項２】
配列５’−ＣＣＣＵＣＣＵＡＣＡＵＡＧＧＧ−３’（配列番号１）もしくは配列５’−ＡＧＡＡＣＧＵＡＵＡＣＵＡＵＵ−３’（配列番号７）又は配列番号１もしくは７の配列内に１以上の置換を有する配列を含む、請求項１に記載のＲＮＡアプタマー。
【請求項３】
以下
（ｉ）ＧＡＧ  ＡＣＡ  ＡＧＡ  ＡＵＡ  ＡＡＣ  ＧＣＵ  ＣＡＡ  ＣＣＣ  ＡＣＣ  ＣＵＣ  ＣＵＡ  ＣＡＵ  ＡＧＧ  ＧＡＧ  ＧＡＡ  ＣＧＡ  ＧＵＵ  ＡＣＵ  ＡＵＡ  ＧＡＧ  ＣＵＵ  ＣＧＡ  ＣＡＧ  ＧＡＧ  ＧＣＵ  ＣＡＣ  ＡＡＣ（配列番号２）；
（ｉｉ）ＧＡＧ  ＡＣＡ  ＡＧＡ  ＡＵＡ  ＡＡＣ  ＧＣＵ  ＣＡＡ  ＣＣＣ  ＡＣＣ  ＣＵＣ  ＣＵＡ  ＣＡＵ  ＡＧＧ  ＧＡＧ  ＧＡＡ  ＣＧＡ  ＧＵＵ  ＡＣＵ  ＡＵＡ  Ｇ（配列番号３）；
（ｉｉｉ）ＧＣＵ  ＣＡＡ  ＣＣＣ  ＡＣＣ  ＣＵＣ  ＣＵＡ  ＣＡＵ  ＡＧＧ  ＧＡＧ  ＧＡＡ  ＣＧＡ  ＧＵ（配列番号４）；
（ｉｖ）ＣＣ  ＡＣＣ  ＣＵＣ  ＣＵＡ  ＣＡＵ  ＡＧＧ  ＧＵＧ  Ｇ（配列番号５）；及び
（ｖ）ＣＣ  ＣＵＣ  ＣＵＡ  ＣＡＵ  ＡＧＧ  Ｇ（配列番号１）
から選択される配列を含む請求項１又は２に記載のＲＮＡアプタマー。
【請求項４】
配列５’−ＣＡＧＡＡＣＧＵＡＵＡＣＵＡＵＵＣＵＧ−３’（配列番号６）又は配列番号６の配列内に１以上の置換を含む請求項１又は２に記載のＲＮＡアプタマー。
【請求項５】
配列ＧＡＧ  ＡＣＡ  ＡＧＡ  ＡＵＡ  ＡＡＣ  ＧＣＵ  ＣＡＡ  ＧＧＡ  ＡＡＧ  ＣＧＣ  ＵＵＡ  ＵＵＧ  ＵＵＵ  ＧＣＵ  ＡＵＧ  ＵＵＡ  ＧＡＡ  ＣＧＵ  ＡＵＡ  ＣＵＡ  ＵＵＵ  ＣＧＡ  ＣＡＧ  ＧＡＧ  ＧＣＵ  ＣＡＣ  ＡＡＣ  ＡＧＧ  Ｃ（配列番号８）を含む請求項２に記載のＲＮＡアプタマー。
【請求項６】
配列番号１又は配列番号６の配列から成る請求項１〜５のいずれか１項に記載のＲＮＡアプタマー。
【請求項７】
アプタマーの安定性を高める１以上の修飾を含む請求項１〜６のいずれか１項に記載のアプタマー(修飾アプタマー)。
【請求項８】
前記修飾アプタマーが２’−フルオロ修飾されている、請求項７に記載のＲＮＡアプタマー。
【請求項９】
ＣＤ１３３＋細胞に特異的に結合する請求項１〜８のいずれか１項に記載のアプタマー。
【請求項１０】
ＣＤ１３３＋細胞が癌幹細胞である請求項１〜９のいずれか１項に記載のアプタマー。
【請求項１１】
前記細胞が生体内又は試験管内にある請求項９又は１０に記載のアプタマー。
【請求項１２】
前記細胞が対象から得られた生物試料に存在する請求項９〜１１のいずれか１項に記載のアプタマー。
【請求項１３】
前記癌幹細胞が、脳腫瘍幹細胞、乳癌幹細胞、前立腺癌幹細胞、膵臓癌幹細胞、結腸癌幹細胞、肝臓癌幹細胞、肺癌幹細胞、卵巣癌幹細胞、皮膚癌幹細胞、又は黒色腫幹細胞である請求項１０〜１２のいずれか１項に記載のアプタマー。
【請求項１４】
酵素、補欠分子族、蛍光物質、発光物質、生物発光物質、高電子密度標識、ＭＲＩ用の標識及び放射性物質並びにこれらの組み合わせからなる群から選択される検出可能な標識に結合させた請求項１〜１３のいずれか１項に記載のＲＮＡアプタマーを含む診断剤。
【請求項１５】
生物試料の組織学的検査に使用するための請求項１〜１３のいずれか１項に記載の単離されたＲＮＡアプタマー又は請求項１４に記載の診断剤。
【請求項１６】
毒素、放射性核種及び化学療法剤並びにそれらの組み合わせからなる群から選択される部分に結合させた請求項１〜１３のいずれか１項に記載のＲＮＡアプタマーを含む抗癌剤。
【請求項１７】
対象から得られた生物試料からＣＤ１３３を発現している細胞及び／又は癌幹細胞を単離する、精製する又は濃縮する方法であって、請求項１〜１３のいずれか１項に記載のＲＮＡアプタマー又は請求項１４に記載の診断剤に前記細胞を接触させるステップを含む方法。
【請求項１８】
対象において又は癌を有する若しくは癌を有することが疑われる対象から得られる生物試料においてＣＤ１３３を発現している細胞及び／又は癌幹細胞を特定する方法であって、請求項１〜１３のいずれか１項に記載の単離されたＲＮＡアプタマー又は請求項１４に記載の診断剤に前記細胞を接触させることを含む方法。
【請求項１９】
前記対象が、脳腫瘍、乳癌、前立腺癌、膵臓癌、結腸癌、肝臓癌、肺癌、卵巣癌、皮膚癌、黒色腫又はＣＤ１３３＋細胞が存在する任意の他の癌から選択される癌を有するものである請求項１７又は１８に記載の方法。
【請求項２０】
対象にて癌を治療する又は予防するための請求項１〜１３のいずれか１項に記載のＲＮＡアプタマー又は請求項１６に記載の抗癌剤の使用。
【請求項２１】
ｓｉＲＮＡ又はリボザイムに結合された請求項１〜１３のいずれか１項に記載のＲＮＡアプタマーを含む送達剤。
【請求項２２】
薬学上許容可能なキャリア及び／又は賦形剤と一緒に治療上有効な量の請求項１〜１３のいずれか１項に記載のＲＮＡアプタマー、又は請求項１６に記載の抗癌剤、又は請求項２１に記載の送達剤を含む組成物。
【請求項２３】
腫瘍の分子イメージングで使用するための、請求項１〜１３のいずれか１項に記載のＲＮＡアプタマー、又は請求項１４に記載の診断剤。
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
反芻動物における急性もしくは亜急性ルーメンアシドーシスまたはルーメンアシドーシスに起因する状態を治療または予防するための動物飼料添加剤としての使用方法であって、動物飼料添加剤が、鉄イオンおよび／または鉄化合物と複合体を形成しているオリゴマー性プロシアニジンを含有し、鉄イオンおよび／または鉄化合物とオリゴマー性プロシアニジンとの比が、１：１０から１：２００００までの範囲、好ましくは１：１００から１：８０００までの範囲であることを特徴とする、使用方法。
【請求項２】
オリゴマー性プロシアニジンが、マツ樹皮粉砕物、マツ樹皮抽出物またはその任意の混合物の形態で含有されることを特徴とする、請求項１に記載の使用方法。
【請求項３】
動物飼料添加剤であって、請求項１または２に記載の方法を含み、ルーメンアシドーシスまたはルーメンアシドーシスに起因する状態の治療または予防に有効な量で、タンパク質担体、炭水化物担体、粗飼料、サイレージ、脂肪、ビタミン、無機質および微量元素から成る群から選択される１種または複数の飼料材料と一緒に含有することを特徴とする、反芻動物用動物飼料。
【請求項４】
鉄含有溶液で処理されたマツ樹皮粉砕物を飼料乾物１キログラム当り０．０１ｇ〜２５０ｇ含有することを特徴とする、請求項３に記載の動物飼料。
【請求項５】
場合により鉄含有溶液で処理されたマツ樹皮抽出物を飼料乾物１キログラム当り０．００２ｇ〜５０ｇ含有することを特徴とする、請求項３に記載の動物飼料。
【請求項６】
請求項１または２に記載の方法を、タンパク質担体、炭水化物担体、粗飼料、サイレージ、脂肪、ビタミン、無機質および微量元素から成る群から選択される１種または複数の飼料成分と一緒に含有することを特徴とする、請求項３に記載の動物飼料を製造するためのプレミックス。
【請求項７】
請求項３に記載の動物飼料を製造するための、請求項１または２に記載の使用方法または請求項６に記載のプレミックスの使用。
【請求項８】
鉄イオンおよび／または鉄化合物とオリゴマー性プロシアニジンとの比が、１：１０から１：２００００までの範囲、好ましくは１：１００から１：８０００までの範囲であることを特徴とする、反芻動物における急性もしくは亜急性ルーメンアシドーシスまたはルーメンアシドーシスに起因する状態を治療または予防に使用するための、鉄含有溶液で処理されたマツ樹皮粉砕物、マツ樹皮抽出物またはその任意の混合物。
【請求項９】
反芻動物が、鉄含有溶液で処理されたマツ樹皮粉砕物を０．１〜５００ｇ／日得る、請求項８に記載の使用。
【請求項１０】
反芻動物が、鉄含有溶液で処理されたマツ樹皮抽出物を０．００２〜１００ｇ／日得る、請求項８に記載の使用。
【請求項１１】
鉄含有溶液で処理されたマツ樹皮粉砕物、鉄含有溶液で処理されたマツ樹皮抽出物、またはその任意の混合物が飲料水添加剤として存在する、請求項８に記載の使用。
【請求項１２】
前記飲料水添加剤が、鉄含有溶液で処理されたマツ樹皮抽出物を０．００００８ｇ〜１００ｇ／リットル含有する、請求項１１に記載の使用。
【請求項１３】
反芻動物におけるルーメンアシドーシスに起因する前記状態が、ルーメン中のｐＨ低下、ルーメン菌叢の不均衡、反芻活動の停止、乳量低下、乳脂肪含量の低下、慢性的代謝負荷、肝臓の代謝負荷、不妊、更新率の低下、より少ない産仔数および炎症性蹄病から選択されることを特徴とする、請求項８〜１２のいずれか一つに記載の使用。
【請求項１４】
マツ樹皮粉砕物および／またはマツ樹皮抽出物に含まれる鉄イオンおよび／または鉄化合物とオリゴマー性プロシアニジンとの比が、１：１０から１：２００００までの範囲、好ましくは１：１００から１：８０００までの範囲であることを特徴とする、反芻動物の乳汁中へのアフラトキシン排出を減少させるために使用するための、鉄含有溶液で処理されたマツ樹皮粉砕物、マツ樹皮抽出物またはその任意の混合物。
【請求項１５】
鉄イオンおよび／または鉄化合物とオリゴマー性プロシアニジンとの比が、１：１０から１：２００００までの範囲、好ましくは１：１００から１：８０００までの範囲であることを特徴とする、反芻動物の乳汁中へのアフラトキシン排出を減少させるために使用するための、鉄イオンおよび／または鉄化合物と複合体を形成しているオリゴマー性プロシアニジン。
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
ナチュラルキラー(NK)前駆細胞集団を産生する方法であって、
(i)造血幹細胞又は造血前駆細胞を、Flt3L、TPO、SCF、IL-7、G-CSF、IL-6、及びGM-CSFを含む第一の培地中で培養すること、
(ii)その後、該細胞を、(a)Flt3L、SCF、IL-15、及びIL-7、及び/又は(b)G-CSF、IL-6、及びGM-CSFを含む第二の培地中で培養すること、並びに
(iii)その後、該細胞を、SCF、IL-15、IL-7、IL-2、G-CSF、IL-6、及びGM-CSFを含む第三の培地中で培養すること、これにより、NK前駆細胞集団を産生することを含む、前記方法。
【請求項２】
前記第二の培地が、Flt3L、SCF、IL-15、IL-7、G-CSF、IL-6、及びGM-CSFを含む、請求項１記載の方法。
【請求項３】
前記培養工程(i)の持続期間が7〜9日であり、前記培養工程(ii)の持続期間が5〜7日であり、前記培養工程(iii)の持続期間が5〜9日である、請求項１記載の方法。
【請求項４】
前記培養工程(i)の持続期間が7〜9日であり、前記培養工程(ii)の持続期間が5〜7日であり、前記培養工程(iii)の持続期間が21〜35日である、請求項１記載の方法。
【請求項５】
前記方法で使用される造血幹細胞又は造血前駆細胞が、CD34+である、請求項１記載の方法。
【請求項６】
前記造血幹細胞又は造血前駆細胞が、ヒト胎盤灌流液由来の造血幹細胞又は造血前駆細胞、及び臍帯由来の造血幹細胞又は造血前駆細胞を含み、ここで、該胎盤灌流液及び該臍帯血が、同じ胎盤に由来するものである、請求項１記載の方法。
【請求項７】
CD34-細胞が、前記工程(i)の終了時に、全集団の80％超を含む、請求項１記載の方法。
【請求項８】
前記集団が、40％以下のCD3-CD56+細胞を含む、請求項１記載の方法。
【請求項９】
前記集団が、CD52+CD117+である細胞を含む、請求項１記載の方法。
【請求項１０】
前記NK前駆細胞が、請求項１記載の方法によって生産される、単離されたNK前駆細胞集団。
【請求項１１】
前記培養工程(i)の持続期間が7〜9日であり、前記培養工程(ii)の持続期間が5〜7日であり、かつ前記培養工程(iii)の持続期間が5〜9日である、請求項１０記載の単離されたNK前駆細胞集団。
【請求項１２】
前記培養工程(i)の持続期間が7〜9日であり、前記培養工程(ii)の持続期間が5〜7日であり、かつ前記培養工程(iii)の持続期間が21〜35日である、請求項１０記載の単離されたNK前駆細胞集団。
【請求項１３】
前記方法で使用される造血幹細胞又は造血前駆細胞が、CD34+である、請求項１０記載の単離されたNK前駆細胞集団。
【請求項１４】
前記造血幹細胞又は造血前駆細胞が、ヒト胎盤灌流液由来の造血幹細胞又は造血前駆細胞、及び臍帯由来の造血幹細胞又は造血前駆細胞を含み、ここで、該胎盤灌流液及び該臍帯血が、同じ胎盤に由来するものである、請求項１０記載の単離されたNK前駆細胞集団。
【請求項１５】
CD34-細胞が、前記工程(i)の終了時に、全集団の80％超を含む、請求項１０記載の単離されたNK前駆細胞集団。
【請求項１６】
前記集団が、40％以下のCD3-CD56+細胞を含む、請求項１０記載の単離されたNK前駆細胞集団。
【請求項１７】
前記集団が、CD52+CD117+である細胞を含む、請求項１０記載の単離されたNK前駆細胞集団。
【請求項１８】
腫瘍細胞の増殖を抑制するための薬剤の製造における、請求項１０記載の単離されたNK前駆細胞集団の使用。
【請求項１９】
前記腫瘍細胞が、原発性腺管癌細胞、膠芽腫細胞、白血病細胞、急性T細胞白血病細胞、慢性骨髄性リンパ腫(CML)細胞、急性骨髄性白血病細胞、慢性骨髄性白血病(CML)細胞、肺癌細胞、結腸腺癌細胞、組織球性リンパ腫細胞、多発性骨髄腫細胞、結腸直腸癌細胞、結腸直腸腺癌細胞、前立腺癌細胞、又は網膜芽腫細胞である、請求項１８記載の使用。
【請求項２０】
対象において血液癌を治療するための薬剤の製造における、請求項１０記載の単離されたNK前駆細胞集団の使用。
【請求項２１】
前記血液癌が、急性骨髄性白血病である、請求項２０記載の使用。
【請求項２２】
前記血液癌が、多発性骨髄腫である、請求項２０記載の使用。